(57)【要約】【課題】洗浄ノズルの進出長を確保しつつ、装置全体の高さが抑えられる局部洗浄装置を提供する。【解決手段】本発明に係る局部洗浄装置２０は、第２ノズル部３４が第１ノズル部３３に収容された状態または第１ノズル部から突出した状態の何れかに水圧で切り替わる水圧式洗浄ノズル３０と、第２ノズル部が第１ノズル部に収容された状態の水圧式洗浄ノズルを、ノズル開口部に対して後方に配置された収容状態とノズル開口部に対して前方に進出した進出状態との間で電動で動かす電動式ノズル駆動部５０と、を備え、収容状態における水圧式洗浄ノズルの水平面に対する角度は進出状態における水圧式洗浄ノズルの水平面に対する角度βより小さい。【選択図】図７
2020007816.tif 000002
【特許請求の範囲】
【請求項１】
第１ノズル部と、前記第１ノズル部から水圧によって突出可能かつ先端部に洗浄水を吐出する吐出口が形成されている第２ノズル部とを有する水圧式洗浄ノズルと、
前記第２ノズル部が前記第１ノズル部に収容された状態の前記水圧式洗浄ノズルを、ノズル開口部に対して後方に配置された収容状態と前記ノズル開口部に対して前方に進出した進出状態との間で、所定の軌道に沿って電動で動かす電動式ノズル駆動部と、
を備え、
前記収容状態における前記水圧式洗浄ノズルの水平面に対する角度は前記進出状態における前記水圧式洗浄ノズルの水平面に対する角度より小さいことを特徴とする局部洗浄装置。
【請求項２】
前記水圧式洗浄ノズルが収容位置から上昇した後に下降する前記軌道に沿って移動する、
請求項１に記載の局部洗浄装置。
【請求項３】
前記洗浄ノズルの上昇時の前記軌道が水平面に対してなす角度は、５°以上である、
請求項２に記載の局部洗浄装置。
【請求項４】
前記第１ノズル部の基端部には前記洗浄水の流入口が形成され、
前記電動式ノズル駆動部は、
ローラを備えた回転駆動部と、
一方の端部が前記回転駆動部に接続され、かつ他方の端部が前記第１ノズルの基端部に接続され、前記洗浄ノズルが進出する前記軌道に合わせて前記ローラから繰り出される牽引部材と、
前記牽引部材を前記軌道に合わせて移動させるレールと、
を備える請求項１から請求項３の何れか一項に記載の局部洗浄装置。
【請求項５】
前記軌道の直下に前記回転駆動部が配置されている、
請求項４に記載の局部洗浄装置。
【発明の詳細な説明】
【技術分野】
【０００１】
本発明は、局部洗浄装置に関する。
【背景技術】
【０００２】
近年、便器には、局部を洗浄するための局部洗浄装置が設けられている。局部洗浄装置に設けられた洗浄ノズルを、リモコン操作等に応じて、ノズル開口部から便鉢内に進出させ、先端部の吐出口から洗浄水を吐出する。
【０００３】
例えば、特許文献１には、多段式ノズルおいてモータの駆動により金属バンドで牽引された洗浄ノズルがノズル開口部から進出する局部洗浄装置が開示されている。特許文献１に記載の局部洗浄装置では、洗浄ノズルが収容位置からノズル開口部に向かって水平面と平行に移動し、洗浄ノズルがノズル開口部から前方（すなわち、便鉢内）に向かうにつれて下方へ移動する。また、ノズルモータ（回転モータ）は、洗浄ノズルの進出に連動して移動する。
【先行技術文献】
【特許文献】
【０００４】
【特許文献１】特許第５５６５７０７号公報
【発明の概要】
【発明が解決しようとする課題】
【０００５】
特許文献１に記載されている牽引式の局部洗浄装置では、洗浄ノズルの進出長を十分に確保しようとすると、洗浄ノズルを進出させるために繰り出される金属バンドが長くなる。また、洗浄ノズルが進出方向の手前側に牽引される際にはノズルモータが下降するので、ノズルモータの移動領域が上下方向に拡がる。したがって、特許文献１に記載されている牽引式の局部洗浄装置では、金属バンドを繰り出すためのモータや、繰り出された金属バンドを支持するラックの高さや長さが大きくなるという問題があった。
【０００６】
上記事情を鑑み、本発明は、洗浄ノズルの進出長を確保しつつ、装置全体の高さが抑えられる局部洗浄装置を提供する。
【課題を解決するための手段】
【０００７】
本発明に係る局部洗浄装置は、第１ノズル部と、前記第１ノズル部から水圧によって突出可能かつ先端部に洗浄水を吐出する吐出口が形成されている第２ノズル部とを有する水圧式洗浄ノズルと、前記第２ノズル部が前記第１ノズル部に収容された状態の前記水圧式洗浄ノズルを、ノズル開口部に対して後方に配置された収容状態と前記ノズル開口部に対して前方に進出した進出状態との間で、所定の軌道に沿って電動で動かす電動式ノズル駆動部と、を備え、前記収容状態における前記水圧式洗浄ノズルの水平面に対する角度は前記進出状態における前記水圧式洗浄ノズルの水平面に対する角度より小さいことを特徴とする。
【０００８】
上述の局部洗浄装置によれば、水圧式洗浄ノズルと電動式ノイズ駆動部とのハイブリッド構造になっているので、電動式ノズル駆動部の大きさが抑えられる。また、収容状態の水圧式洗浄ノズルの水平面に対する角度が進出状態の水圧式洗浄ノズルの水平面に対する角度より小さいので、水圧式洗浄ノズルの進出長を確保しつつ、装置全体の高さが抑えられる。
【０００９】
本発明に係る局部洗浄装置では、前記水圧式洗浄ノズルが収容位置から上昇した後に下降する前記軌道に沿って移動することが好ましい。
また、本発明に係る局部洗浄装置では、前記洗浄ノズルの上昇時の前記軌道が水平面に対してなす角度は、５°以上であることが好ましい。
【００１０】
上述の局部洗浄装置によれば、洗浄ノズルの進出長さが適度に確保されると共に、洗浄ノズルの全体が通過する領域の高さも確実に抑えられる。このことによって、局部洗浄装置の省スペース化が図られる。
【００１１】
本発明に係る局部洗浄装置では、前記第１ノズル部の基端部には前記洗浄水の流入口が形成され、前記電動式ノズル駆動部は、ローラを備えた回転駆動部と、一方の端部が前記回転駆動部に接続され、かつ他方の端部が前記第１ノズルの基端部に接続され、前記洗浄ノズルが進出する軌道に合わせて前記ローラから繰り出される牽引部材と、前記牽引部材を前記軌道に合わせて移動させるレールと、を備えることが好ましい。
【００１２】
上述の局部洗浄装置によれば、先ず、水圧式洗浄ノズルは第２ノズル部が第１ノズル部の内部に収容された状態で、回転モータの駆動によりローラから繰りだされる牽引部材によって（すなわち、牽引式によって）、収容位置から上昇した後に下降する。また、前述のように牽引式で下降した最下部において、第１ノズル部の先端部から第２ノズル部が進出する。洗浄ノズルが水圧式で構成されるので、第１ノズル部の先端部から第２ノズル部を進出させるためのモータや駆動力は不要になり、その負荷が回転モータにかかることもない。したがって、上述の局部洗浄装置によれば、水圧式洗浄ノズルの進出長を確保しつつ、モータやレールの小型化・固定化が図られ、装置全体の高さが抑えられる。
【００１３】
本発明に係る局部洗浄装置では、前記軌道の直下に前記回転駆動部が配置されていることが好ましい。
【００１４】
上述の局部洗浄装置によれば、平面視で水圧式洗浄ノズルと回転駆動部が略同一線上に配置されるので、全体の横幅が抑えられる。
【発明の効果】
【００１５】
本発明によれば、洗浄ノズルの進出長を確保しつつ、装置全体の高さが抑えられる局部洗浄装置が提供される。
【図面の簡単な説明】
【００１６】
【図１】本発明を適用した一実施形態の局部洗浄装置を備えた便器を示す斜視図である。
【図２】本発明を適用した一実施形態の局部洗浄装置及び局部洗浄装置に洗浄水を供給するための構成の一部の概略図である。
【図３】本発明を適用した一実施形態の局部洗浄装置の要部の側面図であり、洗浄ノズルが収容された状態を表す図である。
【図４】図３に示す局部洗浄装置の要部の平面図である。
【図５】図３に示す局部洗浄装置の要部の側面図であり、洗浄ノズルが収容位置から所定の軌道に沿って上昇した後に下降する様子を示す図である。
【図６】図３に示す局部洗浄装置の要部の側面図であり、洗浄ノズルが図５に実線で示す位置からさらに下降する様子を示す図である。
【図７】図３に示す局部洗浄装置の要部の側面図であり、洗浄ノズルが図５に実線で示す位置にある状態で第２ノズル部が第１ノズル部の先端部から進出した状態を示す図である。
【発明を実施するための形態】
【００１７】
以下、本発明に係る洗浄装置の実施形態について、図面を参照して説明する。
【００１８】
図１は、本発明を適用した一実施形態の局部洗浄装置２０を備えた便器１９を示す斜視図である。図１に示すように、便器１９は、局部洗浄装置２０の他に、便器本体１、制御部２、便座３及び便蓋４を備える。
【００１９】
便器本体１には、便鉢８が設けられている。便器本体１の上側の外周部には、便鉢８に囲まれた空間１０に突出するリム部９が設けられている。便鉢８の下部には、不図示の排水口が形成されている。この排水口を通じて、便鉢８は、不図示の排水トラップと接続され、封水されている。
【００２０】
以下では、便器本体１に対して使用者が立つ側を前側、使用者から最も離れている側を後側とし、前側と後側とを結ぶ方向を前後方向Ｔ１とする。また、床面に対して垂直な方向を上下方向Ｔ３とする。また、便器本体１の幅方向、すなわち前後方向Ｔ１及び上下方向Ｔ３に直交する方向を左右方向Ｔ２とする。
【００２１】
制御部２は、便器本体１の後側に配置されている。制御部２は、便器本体１の後側に着脱可能な状態で取り付けられたカバーケース６の内部に収容されている。制御部２は、例えば不図示のリモコン操作によって洗浄水流路の開閉を制御するコントロールバルブや電磁バルブ等の開閉弁を備える。制御部２によって、前述の開閉弁が作動し、リム部９の底面側から便鉢８に洗浄水を流すジェット吐水、局部洗浄装置２０から空間１０に洗浄水を吐出するノズル吐水をはじめとする洗浄水の吐水の開始や停止が制御される。
【００２２】
便座３は略環状に形成された環状部１３と、環状部１３の後端からさらに後側に延びる延出部１４と、を備える。環状部１３には、空間１０に連通する開口が形成されている。延出部１４は、左右方向Ｔ２に延びる回転軸１１を中心に回転自在になっている。便座３は、便器本体１に対して開閉可能な状態で設けられている。
【００２３】
便蓋４は、回転軸１１より後側の回転軸１２を中心に回転自在であり、便座３に対して開閉可能な状態で設けられている。
【００２４】
局部洗浄装置２０は、制御部２と共にカバーケース６の内部に収容されている。図２は、局部洗浄装置２０及び局部洗浄装置２０に洗浄水を供給するための構成の一部の概略図である。図３及び図５から図７までは、局部洗浄装置２０の要部の側面図である。図３は、洗浄ノズル３０が収容された状態（以下、収容状態という場合がある）を示す図である。図５は、洗浄ノズル３０が収容位置から所定の軌道（図示略）に沿って上昇した後に下降する様子を示す図である。図６は、洗浄ノズル３０が図４に実線で示す位置からさらに下降する様子を示す図である。図７は、洗浄ノズル３０が図５に実線で示す位置にある状態で第２ノズル部３４が第１ノズル部３３の先端部から進出した状態を示す図である。図４は、局部洗浄装置２０の要部の平面図であり、洗浄ノズル３０が収容状態になっている図である。
【００２５】
図２に示すように、局部洗浄装置２０は、水圧式の洗浄ノズル（水圧式洗浄ノズル）３０と、洗浄ノズル３０をノズル開口部２２に対して進出させる電動式の駆動部（電動式ノズル駆動部）５０と、を備える。ノズル開口部２２には、シャッター２４が設けられている。シャッター２４は、基本的に閉じているが、リモコン操作等に応じて制御部２から信号を受信した局部洗浄装置２０が洗浄ノズル３０をノズル開口部２２から進出させる際、又は洗浄ノズル３０をノズル開口部２２より後側に後退させて収容状態にする際に、開く。なお、図２では、シャッター２４が開いた状態を示している。
【００２６】
洗浄ノズル３０の先端部３１には、洗浄水を吐出する吐出口３２が形成されている。図７に示すように、洗浄ノズル３０は、多段式で構成され、本実施形態では第１ノズル部３３と、第２ノズル部３４と、を有する。第１ノズル部３３の基端部３５には、洗浄水の流入口３６が形成されている。洗浄水は、便器本体１の後側から、カバーケース６を通って、不図示の洗浄水供給管から流入口３６に供給される（図１及び図２参照）。
【００２７】
図３に示すように、第１ノズル部３３は、後側の面を底面４３として有底筒状に形成され、前側に開口３９が形成されている。底面４３には、バンド係止部４１と、洗浄水供給管４２が連結されている。図４に示すように、バンド係止部４１は、底面４３の上端部から後側に延びた後、屈折して左右方向Ｔ２（本実施形態では、図４の紙面の左側）に沿って延びている。洗浄水供給管４２は、底面４３から後側に延びた後、屈折して、左右方向Ｔ２に沿ってバンド係止部４１とは逆側（本実施形態では、図４の紙面の右側）に延びている。洗浄水供給管４２の先端には、流入口３６が設けられている。
【００２８】
図３に示すように、第１ノズル部３３の下側には、第１ノズル部３３の長手方向にわたってリブ４５が設けられている。リブ４５は、板状に形成され、第１ノズル部３３の周方向の最下端から下側に延びている。
【００２９】
図３から図７までに示すように、第２ノズル部３４は、開口３９を通して、第１ノズル部３３の内部４０に挿入及び収容可能である。第２ノズル部３４は、流入口３６から内部４０に流入した洗浄水の水圧に応じて、第１ノズル部３３の先端部３７に対して進出又は後退する。第２ノズル部３４は、第１ノズル部３３から水圧によって突出可能である。すなわち、洗浄ノズル３０は、水圧式で作動する。前述の吐出口３２は、第２ノズル部３４の先端部３８に形成されている。先端部３８の下部には、第２ノズル部３４の長手方向に対して直交する方向に沿って延びるストッパ４４が設けられている。
【００３０】
駆動部５０は、図２から図７に示すように洗浄ノズル３０をノズル開口部２２から空間（便鉢内）１０に進出させ、吐出口３２から洗浄水を吐出させる。具体的には、駆動部５０は、洗浄ノズル３０を収容位置（すなわち、図３に示す洗浄ノズル３０の位置）から所定の軌道（以下、単に軌道という場合がある）に沿って移動させることによって、洗浄ノズル３０をノズル開口部２２に対して進出又は後退させる。軌道は前後方向Ｔ１に沿って設定され、洗浄ノズル３０は軌道上を移動する際に、後側から前側に向かって上昇した後さらに前側へ下降する。つまり、駆動部５０は、第２ノズル部収容状態の洗浄ノズル３０を、ノズル開口部２２に対して後方に配置された収容状態とノズル開口部２２に対して前方に進出した進出状態との間で、電動で動かす。図３に示すように、収容状態における洗浄ノズル３０の水平面に対する角度をαとする。
【００３１】
より具体的には、駆動部５０は、ローラ５１を備えた回転モータ（回転駆動部）５２と、ローラ５１から繰り出される金属バンド（牽引部材）５３と、金属バンド５３を所定の軌道に合わせて移動させるレール５４と、を備える。ローラ５１、回転モータ５２、金属バンド５３及びレール５４は、それぞれの形状や大きさ及び互いの相対位置に合わせてラック５５に収容されている。
【００３２】
ローラ５１及び回転モータ５２は、ラック５５の後側に設けられたそれぞれの収容位置に、少なくとも一部がラック５５に覆われた状態で配置されている。
【００３３】
金属バンド５３は、所定の幅を有して帯状に形成されている。金属バンド５３の後側の端部（一方の端部、図示略）は、ローラ５１の周面に連結されている。金属バンド５３の前側の端部（他方の端部）５６は、バンド係止部４１の先端部に接続されている。
【００３４】
レール５４は、洗浄ノズル３０が所定の軌道に沿って移動するように設計されたバンド係止部４１（すなわち、洗浄バンド３０の後上端部）の移動ルート（軌道）５７に沿って形成されている。レール５４は、左右方向Ｔ２において、移動ルート５７に沿って、金属バンド５３より適度に広い幅を有する。また、レール５４は、上側及び下側には、金属バンド５３及びバンド係止部４１の先端がレール５４に沿って円滑に移動するための空間をあけてラック５５に覆われている。このような構成によって、ローラ５１から繰り出された金属バンド５３がレール５４の上面に当接しつつ、遷移する。なお、図４等では、わかりやすくするために、金属バンド５３の一部をラック５５から露出させて示している。また、同様にわかりやすくするために、図３及び図５から図７まででは、ラック５５の内部のバンド係止部４１、金属バンド５３及びレール５４を実線で示している。図４に示すように、回転モータ５２は、洗浄ノズル３０の軌道の直下に配置されている。
【００３５】
レール５４の上面５９は、レール５４の後端部から水平面に対して上昇する上昇面６２と、上昇面６２の前端（すなわち、水平面に対して上昇面６２がなす角度が０°になる端部）に連結されて水平面に対して下降する下降面６３と、を有する。
【００３６】
上昇面６２の前側と下降面６３の後側は、それぞれ湾曲している、互いに滑らかに連結している。すなわち、水平面に対して上昇面６２がなす角度は、後側から前側に進むにしたがって暫く一定であった後、漸次小さくなる。水平面に対して下降面６３がなす角度は、水平面に対して上昇面６２の前端がなす角度から連続的に大きくなった後、一定になる。以下、水平面に対して上昇面６２及び下降面６３がなす角度については、前後方向Ｔ１において一定である部分の角度を表す。
【００３７】
水平面に対して上昇面６２がなす角度（狭角）は、５°以上であって、金属バンド５３が曲がる程度に適宜設定されている。この角度は、例えば５°以上３０°以下であるが、金属バンド５３の材質に応じて変更される。水平面に対して上昇面６２がなす角度が５°以上であることによって、基端部３５を水平面より下げ、かつ先端部３７を水平面より挙げた姿勢で洗浄ノズル３０をノズル開口部２２より後側に収容できる。このことによって、洗浄ノズル３０が収容状態にある局部洗浄装置２０の高さが適度に抑えられる。
【００３８】
水平面に対して下降面６３がなす角度（狭角）は、０°より大きく８０°以下であり、１０°以上６０°以下であることが好ましく、吐出口３２から洗浄水を吐出させる角度等を勘案して適宜設定されている。水平面に対して上昇面６２がなす角度が前述の範囲内であることによって、図７に示すように第１ノズル部３３及び第２ノズル部３４が所定の姿勢をとり、吐出口３２から洗浄水が好適な角度で吐出される。
【００３９】
レール５４の先端部５８には、下側に延びる延出部６０が設けられている。延出部６０の先端部（すなわち、下端部）には、ローラ６１が設けられている。ローラ６１は回転軸を中心に、回転自在になっている。第１ノズル部３３の進出及び後退時において、リブ４５がローラ６１の周面に載置され、ローラ６１の周面に対して摺動する。したがって、第１ノズル部３３は二点支持されている。すなわち、金属バンド５３によって牽引されつつ、基端部３５の上側がレール５４に支持され、先端部から長手方向の中央部にかけてローラ６１に支持されている。
【００４０】
次いで、局部洗浄装置２０の動作について、図３から図７を参照しながら説明する。図３に示すように、局部洗浄装置２０の動作前は、洗浄ノズル３０が収容状態である。このとき、回転モータ５２は停止し、バンド係止部４１及び端部５６はレール５４の後端部に配置されている。
【００４１】
リモコン操作等に応じて制御部２から局部洗浄装置２０が信号を受信して作動すると、シャッター２４が開き、回転モータ５２が作動してローラ５１から金属バンド５３が繰り出される。金属バンド５３の繰り出しによって、金属バンド５３が上面５９を摺動し、バンド係止部４１及び端部５６が移動ルート５７に沿って後側から前側に移動する。このことによって、図５の二点鎖線及び実線で示すように、洗浄ノズル３０の後側の上端部が後側から上昇した後に、下降する。また、洗浄ノズル３０は、後側から前側に移動する際に、水平面側に寝た姿勢から、基端部３５より先端部３１を下側にして起立した姿勢へ、滑らかに移行する。
【００４２】
さらにローラ５１から金属バンド５３が繰り出されると、バンド係止部４１及び端部５６が移動ルート５７に沿って図５の実線で示す位置から前側に移動し、レール５４の前端部に到達する。図６の二点鎖線及び実線で示すように、洗浄ノズル３０の後側の上端部が略直線状の移動ルート５７に沿って下降する。また、洗浄ノズル３０は、図５の実線で示す位置から前側に移動する際に、基端部３５より先端部３１を下側にして起立した姿勢を維持して、進出する。第１ノズル部３３（すなわち、洗浄ノズル３０）は、回転モータ５２及び金属バンド５３によってシャッター２４の前方まで進出し、バンド係止部４１及び端部５６がレール５４の前端部に到達する。
【００４３】
バンド係止部４１及び端部５６がレール５４の前端部に到達した後、回転モータ５２は一旦停止し、流入口３６から内部４０に洗浄水が供給され、図７に示すように、水圧により第１ノズル部３３から第２ノズル部３４が進出する。内部４０の洗浄水は、第２ノズル部３４の内部に供給され、吐出口３２から使用者の局部に向けて吐出される。不図示の局部に対しては、吹出口３２から、水平面に対して略真下から７５°の角度で洗浄水を当てることができる。図７に示すように進出状態における洗浄ノズル３０の水平面に対する角度βは角度αより大きい。言い換えれば、収容状態の洗浄ノズル３０の水平面に対する角度αは、進出状態の洗浄ノズル３０の水平面に対する角度βより小さい。
【００４４】
所定の設定時間後に、吐出口３２からの洗浄水の吐水が停止する。その後、上述の動作が順番を逆にして行われ、洗浄ノズル３０が収容状態に戻される。すなわち、洗浄水の吐水が停止した後、第２ノズル部３４が内部４０に向けて後退し、内部４０に収容される。さらに、回転モータ５２が作動し、バンド係止部４１及び端部５６が移動ルート５７に沿って前側から後側に移動する。この際、洗浄ノズル３０は、基端部３５より先端部３１を下側にして起立した姿勢から、水平面側に寝た姿勢へ、滑らかに移行する。
【００４５】
洗浄ノズル３０が収容状態に戻った時点で、一連の局部洗浄装置２０の動作が完了する。
【００４６】
以上説明した本実施形態の局部洗浄装置２０は、上述したように、水圧式の洗浄ノズル３０と電動式の駆動部５０とのハイブリッド構造において、収容状態の洗浄ノズル３０の水平面に対する角度αが進出状態の洗浄ノズル３０の水平面に対する角度βより小さいので、洗浄ノズル３０の進出長さを確保しつつ、局部洗浄装置２０全体の高さを抑えることができる。
【００４７】
また、本実施形態の局部洗浄装置２０において、洗浄ノズル３０が収容位置から上昇した後に下降する軌道に沿って移動することが好ましい。
また、本実施形態の局部洗浄装置２０において、前記洗浄ノズルの上昇時の軌道（すなわち、バンド係止部４１及び端部５６、洗浄ノズル３０の後側の上端部の移動ルート５７）が水平面に対してなす角度は、５°以上であることが好ましい。
上述の局部洗浄装置２０によれば、洗浄ノズル３０を収容位置から上昇した後に下降する軌道に沿って移動させることによって、洗浄ノズル３０の姿勢を水平面側に寝た姿勢から、基端部３５より先端部３１を下側にして起立した姿勢に移行させる。このことによって、洗浄ノズル３０の所定の進出長（すなわち、収容位置から洗浄水の吐水を開始する位置までの前後方向Ｔ１における移動距離）を従来のように洗浄ノズル３０を上昇させずに下降のみさせる場合に比べて、洗浄ノズル３０が通過する領域の高さを抑えることができる。さらに、洗浄ノズル３０の全長を多段式によって変更できる分、洗浄ノズル３０を上昇及び下降させる進出長を短くすることができる。したがって、局部洗浄装置２０によれば、洗浄ノズル３０の進出長を確保しつつ、装置全体の高さを抑え、省スペース化を図ることができる。
上述の局部洗浄装置２０によれば、洗浄ノズル３０の進出長さを適度に確保しつつ、洗浄ノズルの全体が通過する領域の高さを確実に抑えられる。
【００４８】
また、本実施形態の局部洗浄装置２０において、洗浄ノズル３０は、基端部３５に流入口３６が形成された第１ノズル部３３と、先端部３８に吐出口３２が形成され、内部４０に収容可能な第２ノズル部３４と、を有する。第２ノズル部３４は、流入口３６から内部４０に流入した洗浄水の水圧に応じて先端部３７から進出可能に構成されている。駆動部５０は、ローラ５１を備えた回転モータ５２と、移動ルート５７に合わせてローラ５１から繰り出される金属バンド５３と、金属バンド５３を移動ルート５７に合わせて移動させるレール５４と、を備えることが好ましい。本実施形態では、金属バンド５３の後側の端部はローラ５１に接続され、前側の端部５６が第１ノズル部３３の基端部に接続されている。
上述の局部洗浄装置２０によれば、洗浄ノズル３０は第２ノズル部３４が内部４０に収容された状態で、回転モータ５２の駆動によりローラ５１から繰りだされる金属バンド５３によって（すなわち、牽引式によって）、水平面側に寝た姿勢から基端部３５より先端部３１を下側にして起立した姿勢に移行しつつ、ノズル開口部２２の後側から前側に移動する。また、前述のように牽引式で下降した最下部（最前部）において、水圧式で第２ノズル部３４が先端部３７から進出する。このように、金属バンド５３を用いた牽引式に洗浄水の水圧に基づく多段式を導入することによって、洗浄ノズル３０を進出させるために回転モータ５２にかかる負荷を減らすことができる。そのため、小型の回転モータ５２を用いることができるうえに、回転モータ５２の位置を固定できる。したがって、局部洗浄装置２０の高さを抑えることができる。
【００４９】
また、本実施形態の局部洗浄装置２０において、洗浄ノズル３０の軌道の直下に駆動部５０が配置されているので、平面視で洗浄ノズル３０と駆動部５０が略同一線上に配置され、全体の横幅を抑えることができる。
【００５０】
以上、本発明の好ましい実施形態について詳述したが、本発明は係る特定の実施形態に限定されるものではなく、特許請求の範囲内に記載された本発明の要旨の範囲内において、種々の変更が可能である。
【００５１】
例えば、本発明に係る局部洗浄装置２０の移動ルート５７やレール５４の上面５９の形状は、上述の実施形態及び図３から図７に例示した形状に限定されず、洗浄ノズル３０が後側から前側に移動する際に、上昇した後に下降すれば、特に限定されない。一例として、側面視したときに移動ルート５７やレール５４の上面５９が円弧を描くように全体的に湾曲していてもよい。
【００５２】
例えば、上述の実施形態では、１本の洗浄ノズル３０のみを例示したが、本発明の局部洗浄装置は例えばおしり用とビデ用の２本の洗浄ノズルを備え、それぞれの洗浄ノズルが上述の洗浄ノズル３０と同様の構成を備えていてもよい。
【００５３】
また、本発明に係る局部洗浄装置２０の牽引部材は、上述の実施形態で説明した金属バンド５３に限定されず、金属以外の材料で構成されたバンドや、ひも状の牽引部材であってもよい。
【符号の説明】
【００５４】
２０  局部洗浄装置
２２  ノズル開口部
３０  洗浄ノズル（水圧式洗浄ノズル）
３２  吐出口
３３  第１ノズル部
３４  第２ノズル部
５０  駆動部（電動式ノズル駆動部）
５２  回転モータ（回転駆動部）
α，β  水平面に対する角度
【図１】
2020007816.tif 000003
【図２】
2020007816.tif 000004
【図３】
2020007816.tif 000005
【図４】
2020007816.tif 000006
【図５】
2020007816.tif 000007
【図６】
2020007816.tif 000008
【図７】
2020007816.tif 000009